(57)【要約】【課題】ガイドシューがエレベータ昇降体の垂直方向端部から内側に入り込んだ位置に設けられるものであっても、円滑に潤滑油を収集することが可能なエレベータ昇降体の潤滑油収集装置を提供する。【解決手段】本発明によれば、ガイドシュー３と枠体２との間にガイドシュー３の幅寸法よりも大きい幅寸法を有する油案内板４を介設し、この油案内板４の下端部近傍にこの油案内板４に沿って垂下した潤滑油を収納する油タンク５を設けてエレベータ昇降体の潤滑油収集装置を構成したため、ガイドシュー３が枠体２の垂直方向端部から内側に入り込んだ位置に設けられるものであっても、潤滑油収集装置を取り付ける（装着する）ことが出来、円滑に潤滑油を収集することが可能である。【選択図】図１
2007302368.tif 000002
【特許請求の範囲】
【請求項１】
昇降路に立設されたガイドレールに係合するガイドシューをそれぞれ有し、前記昇降路内を昇降する乗りかごもしくはつり合いおもりから成るエレベータ昇降体の潤滑油収集装置において、
前記ガイドシューと前記昇降体との間に介設され前記ガイドシューの幅寸法よりも大きい幅寸法を有する油案内板と、この油案内板の下端部近傍に設けられこの油案内板に沿って垂下した潤滑油を収納する油タンクとを備えて構成したことを特徴とするエレベータ昇降体の潤滑油収集装置。
【請求項２】
請求項１において、前記油タンクには油吸収材を配設したことを特徴とするエレベータ昇降体の潤滑油収集装置。
【請求項３】
請求項１もしくは請求項２において、前記ガイドシューの下方に位置する油案内板に前記ガイドシューの水平投影面を覆うよう設けられる平面部と、この平面部から前記油案内板に向けて延設され前記ガイドシューから前記平面部へ垂下した潤滑油を油案内板へ誘導する傾斜部とを含んで成る油誘導部を有して構成したことを特徴とするエレベータ昇降体の潤滑油収集装置。
【請求項４】
請求項３において、前記油誘導部は前記ガイドレールを挟むよう一対で構成したことを特徴とするエレベータ昇降体の潤滑油収集装置。
【発明の詳細な説明】
【技術分野】
【０００１】
この発明は、昇降路内を昇降する乗かごもしくはつり合いおもりから成るエレベータ昇降体の潤滑油収集装置に関するものである。
【背景技術】
【０００２】
従来におけるエレベータ昇降体の潤滑油収集装置の一例としては、図４に示すようにガイドシュー３の下部に取り付けられ、上記ガイドシュー３の外周面に沿って流れ落ちる油を受けるオイルパン１０と、このオイルパン１０に接続され、上記オイルパン１０で受けた油を貯蔵する油タンク５を備えたものが知られていた（特許文献１参照）。
【特許文献１】特開平６−２７１２４３号公報
【発明の開示】
【発明が解決しようとする課題】
【０００３】
上記特許文献１の従来技術は、ガイドシュー３がつり合いおもり２の垂直方向端部から突出して設置されているが、エレベータの機種によってはガイドシューがつり合いおもりの垂直方向端部から内側に入り込んだ位置に設けられるものも有り、そういった場合は、特許文献１の従来技術に記載の潤滑油収集装置を取り付ける（装着する）ことが出来ないという不都合があった。
【０００４】
この発明は、上記不都合を解消する為になされたものであり、その目的は、ガイドシューがエレベータ昇降体の垂直方向端部から内側に入り込んだ位置に設けられるものであっても、円滑に潤滑油を収集することが可能なエレベータ昇降体の潤滑油収集装置を提供するにある。
【課題を解決するための手段】
【０００５】
本発明は上記目的を達成する為に、昇降路に立設されたガイドレールに係合するガイドシューをそれぞれ有し、前記昇降路内を昇降する乗かごもしくはつり合いおもりから成るエレベータ昇降体の潤滑油収集装置において、前記ガイドシューと前記昇降体との間に介設され前記ガイドシューの幅寸法よりも大きい幅寸法を有する油案内板と、この油案内板の下端部近傍に設けられこの油案内板に沿って垂下した潤滑油を収納する油タンクとを備えて構成したことを特徴とする。
【０００６】
本発明によれば、ガイドシューと昇降体との間にガイドシューの幅寸法よりも大きい幅寸法を有する油案内板を介設し、この油案内板の下端部近傍にこの油案内板に沿って垂下した潤滑油を収納する油タンクを設けてエレベータ昇降体の潤滑油収集装置を構成したため、ガイドシューがエレベータ昇降体の垂直方向端部から内側に入り込んだ位置に設けられるものであっても、潤滑油収集装置を取り付ける（装着する）ことが出来、円滑に潤滑油を収集することが可能である。
【発明の効果】
【０００７】
本発明のエレベータ昇降体の潤滑油収集装置によれば、ガイドシューがエレベータ昇降体の垂直方向端部から内側に入り込んだ位置に設けられるものであっても、円滑に潤滑油を収集することが可能である。
【発明を実施するための最良の形態】
【０００８】
以下、本発明の一実施の形態を図１、２に基づいて説明する。
【０００９】
図１は本発明であるエレベータ昇降体の潤滑油収集装置の一実施の形態を装着したエレベータのつり合いおもりを示す斜視図である。図２は本発明であるエレベータ昇降体の潤滑油収集装置の一実施の形態を示す斜視図である。
【００１０】
図示しない乗かごと釣瓶式に昇降路内を昇降する昇降体であるつり合いおもり１には、図１に示すように枠体２と、この枠体２の垂直方向端部から内側に入り込んだ位置に上下左右４箇所設けられるとともにガイドレール９に係合してつり合いおもり１をガイドレールに案内させて昇降するガイドシュー３とが設けられている。
【００１１】
そして本発明であるエレベータ昇降体の潤滑油収集装置は、図１、２に示すように、下側のガイドシュー３と枠体２との間に介設され前記ガイドシュー３よりも大きな幅寸法を有しコの字状に成型された油案内板４と、この油案内板４の下端部近傍に位置するコの字状の突出端部同士を連結するよう箱状に形成され、前記ガイドレール９に摺接することにより前記ガイドシュー３に付着し、油案内板４に沿って垂下した潤滑油を収納（貯油）する油タンク５と、この油タンク５内に配設され油タンク５内に流入した潤滑油を吸収保油するスポンジ状の油吸収材６と、前記ガイドシュー３の下方に位置する油案内板４に設けられ前記ガイドシュー３から滴下（垂下）した潤滑油を油案内板４へ誘導する油誘導部７とを備えて構成されている。
【００１２】
また前記油誘導部７は、図２に示すように、前記ガイドシュー３の下方に位置する油案内板４に設けられ前記ガイドシュー３の水平投影面を覆う（占有する）よう、この投影面積以上の平面積を有する平面部７ａと、この平面部７ａのガイドレール９側端部から前記油案内板４に向けて延設され前記ガイドシュー３から前記平面部７ａに垂下（滴下）した潤滑油を油案内板４へ誘導する傾斜部７ｂとを含んで構成されている。
【００１３】
次に、本発明であるエレベータ昇降体の潤滑油収集装置による油収集動作について説明する。
【００１４】
図４で示した給油器８から供給された潤滑油のうち余剰の油は、つり合いおもり１の枠体２に沿って垂下流入し、枠体２とガイドシュー３との間に介設した案内板４に付着するとともに、案内板４に沿って流れ、油タンク５内に流入し貯油される。
【００１５】
油タンク５内のスポンジ状の油吸収材６は、油タンク５より取り出し可能になっており、油吸収材６に含んだ潤滑油が容量を超える前に取り出し、油吸収材６を圧搾して油を排出させ再度、油タンク５内へ装着する。
【００１６】
また、給油器８から供給された潤滑油のうちの余剰油は、つり合いおもり１の枠体２側へ付着する油ばかりでなく、ガイドシュー３下面より滴下するが、この滴下した潤滑油は前記油誘導部７の平面部７ａに付着し、傾斜部７ｂを介し油案内板４に流入するため、ガイドシュー３下面より滴下した潤滑油も油タンク５内に貯油（収集）することができる。
【００１７】
従って、余剰油を落下させることなく回収（収集）することができ、飛散による昇降路機器への油汚損が防止される。
【００１８】
本発明によれば、ガイドシュー３と枠体２との間にガイドシュー３の幅寸法よりも大きい幅寸法を有する油案内板４を介設し、この油案内板４の下端部近傍にこの油案内板４に沿って垂下した潤滑油を収納する油タンク５を設けてエレベータ昇降体の潤滑油収集装置を構成したため、ガイドシュー３が枠体２の垂直方向端部から内側に入り込んだ位置に設けられるものであっても、潤滑油収集装置を取り付ける（装着する）ことが出来、円滑に潤滑油を収集することが可能である。
【００１９】
また、ガイドシュー３の下面に設けた油誘導部７は、前記ガイドレール９を挟むよう一対で構成されているため、傾斜に沿って油を誘導する機能の他に、つり合いおもり１がガイドレール９から外れることを防止する脱レール防止機能も有している。
【００２０】
更に、つり合いおもり側ばかりでなく乗かご側にも本装置を取り付けることにより、乗かご側の枠体へ伝わる前に油を回収することで、乗かご廻りの油汚れや枠体２の隙間より油が進入し乗かご内を汚すなど乗かご内への油汚れが防止される。
【００２１】
更にまた、上部のガイドシュー３にも装着（適用）できることは言うまでもない。
【００２２】
次に、本発明の他の実施の形態を図３に基づき説明する。
【００２３】
図３は、本発明であるエレベータ昇降体の潤滑油収集装置の他の実施の形態を示す斜視図である。
【００２４】
図３において、実施の形態１では既存のガイドシュー３を流用するものであるのに対し、他の実施形態では、ガイドシュー３ａ下側が下方に向かって、傾斜しているテーパ形状に成型されているものを活用する。
【００２５】
そして、収集装置は、実施の形態１と同様、ガイドシュー３ａとつり合いおもり１枠体２との間に挟み込んで固定する。
【００２６】
案内板４の幅は、ガイドシュー３の幅寸法よりも大きいコの字型の形状をした板状のもので成型されており、ガイドシュー３ａの下面は、該下面より流れ落ちる油を油タンク５へ誘導するテーパ部３１ａを有するものである。
【００２７】
案内板４とテーパ部３１ａより付着した油を受けて貯留する油タンク５が設けられ、油タンク５内部にはスポンジ状の油吸収材６を備える。
【００２８】
また、この実施形態の油収集装置は、ガイドシュー３ａ、案内板４、油タンク５及び油吸収材６、により構成されている。
【００２９】
次に、動作について説明する。給油器８から供給された油のうち余剰の油は、つり合いおもりの枠体２側に設けた案内板４に付着し、案内板４に沿って流れ、油タンク５内に流れ落ちる。
【００３０】
油タンク５のスポンジ状の油吸収材６は、油タンク５より着脱可能になっており、油吸収材６に含んだ油が容量を越える前に取り出し、油吸収材６を圧縮させ油を排出させ再度、油タンク５へ装着する。
【００３１】
また、給油器から供給された油のうち余剰の油は、つり合いおもり１の枠体２側へ付着する油ばかりでなく、テーパ部３１ａより流出した油を、ガイドシュー３ａの傾斜に沿って油が誘導され油タンク内に流れ落ちる。
【００３２】
従って、上記のような油収集装置を用いることにより、余剰の油をピットまで落下させることなく回収することができ、つり合いおもり１の枠体２へ伝わる前に油を回収することで、飛散による昇降路機器への油汚れが防止される。
【００３３】
更に、つり合いおもり側ばかりでなく乗かご側にも本装置を取り付けることにより、乗りかご側の枠体へ伝わる前に油を回収することで、乗かご廻りの油汚れや枠体２の隙間より油が進入し乗かご内を汚すなど乗かご内への油汚れが防止される。
【００３４】
本実施の形態では、第１の実施の形態の油誘導部７に変えて、ガイドシュー３ａの底面にテーパ部３１ａを設けた為、部材数を低減し、安価に第１の実施の形態と同等の効果を挙げることが出来る。
【図面の簡単な説明】
【００３５】
【図１】本発明であるエレベータ昇降体の潤滑油収集装置の一実施の形態を装着したエレベータのつり合いおもりを示す斜視図である。
【図２】本発明であるエレベータ昇降体の潤滑油収集装置の一実施の形態を示す斜視図である。
【図３】本発明であるエレベータ昇降体の潤滑油収集装置の他の実施の形態を示す斜視図である。
【図４】従来の潤滑油収集装置を示す正面図である。
【符号の説明】
【００３６】
１    つり合いおもり（昇降体）
２    枠体
３    ガイドシュー
３ａ  ガイドシュー
３１ａテーパ部
４    案内板
５    油タンク
６    油吸収材
７    油誘導部
７ａ  平面部
７ｂ  傾斜部
８    給油器
９    ガイドレール
１０  オイルパン
【図１】
2007302368.tif 000003
【図２】
2007302368.tif 000004
【図３】
2007302368.tif 000005
【図４】
2007302368.tif 000006